(57)【要約】      （修正有）【課題】ダイナミック駆動において、発光装置の駆動電圧を抑える。【解決手段】第２発光部１４０ｂと第１の第２極性端子Ｔ２ａの間の電気抵抗は、第１発光部１４０ａと第１の第２極性端子Ｔ２ａの間の電気抵抗より大きくなっている。制御回路２００は、第１パルス電流を第１発光部１４０ａに流し、第１パルス電流のパルス幅より広いパルス幅を有する第２パルス電流を第２発光部１４０ｂに流す。第４発光部１４０ｄと第２の第２極性端子Ｔ２ｂの間の電気抵抗は、第３発光部１４０ｃと第２の第２極性端子Ｔ２ｂの間の電気抵抗より大きくなっている。制御回路２００は、第３パルス電流を第３発光部１４０ｃに流し、第３パルス電流のパルス幅より広いパルス幅を有する第４パルス電流を第４発光部１４０ｄに流す。【選択図】図１
2020009613.tif 000002
【特許請求の範囲】
【請求項１】
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
制御回路と、
を含み、
前記第２発光部と前記第１の第２極性端子の間の電気抵抗は、前記第１発光部と前記第１の第２極性端子の間の電気抵抗より大きく、
前記制御回路は、第１パルス電流を前記第１発光部に流し、前記第１パルス電流のパルス幅より広いパルス幅を有する第２パルス電流を前記第２発光部に流す、発光モジュール。
【請求項２】
請求項１に記載の発光モジュールにおいて、
第２の第２極性配線と、
前記第２の第２極性配線に接続された第２の第２極性端子と、
前記第１の第１極性配線に接続された第１極性電極と、前記第２の第２極性配線に接続された第２極性電極と、を有する第３発光部と、
前記第２の第１極性配線に接続された第１極性電極と、前記第２の第２極性配線に接続された第２極性電極と、を有する第４発光部と、
をさらに含み、
前記第４発光部と前記第２の第２極性端子の間の電気抵抗は、前記第３発光部と前記第２の第２極性端子の間の電気抵抗より大きく、
前記制御回路は、第３パルス電流を前記第３発光部に流し、前記第３パルス電流のパルス幅より広いパルス幅を有する第４パルス電流を前記第４発光部に流す、発光モジュール。
【請求項３】
請求項１又は２に記載の発光モジュールにおいて、
第３の第１極性配線と、
前記第３の第１極性配線に接続された第１極性電極と、前記第１の第２極性配線に接続された第２極性電極と、を有する第５発光部と、
をさらに含み、
前記第２発光部と前記第１の第２極性端子の間の電気抵抗は、前記第５発光部と前記第１の第２極性端子の間の電気抵抗より大きく、
前記制御回路は、前記第２パルス電流のパルス幅より狭いパルス幅を有する第５パルス電流を前記第５発光部に流す、発光モジュール。
【請求項４】
請求項１又は２に記載の発光モジュールにおいて、
第３の第１極性配線と、
前記第１の第２極性配線に接続された第３の第２極性端子と、
前記第３の第１極性配線に接続された第１極性電極と、前記第１の第２極性配線に接続された第２極性電極と、を有する第５発光部と、
をさらに含み、
前記第１発光部、前記第２発光部及び前記第５発光部は、前記第１の第２極性端子と前記第３の第２極性端子の間で前記第１の第２極性配線に接続されており、
前記第２発光部と前記第３の第２極性端子の間の電気抵抗は、前記第５発光部と前記第３の第２極性端子の間の電気抵抗より大きく、
前記制御回路は、前記第２パルス電流のパルス幅より狭いパルス幅を有する第５パルス電流を前記第５発光部に流す、発光モジュール。
【請求項５】
請求項１から４までのいずれか一項に記載の発光モジュールにおいて、
前記第１の第１極性配線及び前記第２の第１極性配線を含む複数の第１極性配線と、
前記第１の第２極性配線を含む複数の第２極性配線と、
前記複数の第１極性配線のそれぞれと前記複数の第２極性配線のそれぞれの交差部に位置し、前記第１発光部及び前記第２発光部を含む複数の発光部と、
を含み、
前記複数の第１極性配線のそれぞれは、前記複数の発光部のそれぞれの前記第１極性電極として機能している第１部分と、隣り合う前記第１部分を物理的に相互に接続し、前記第１部分と実質的に同一の材料を含む第２部分と、を含み、
前記複数の第２極性配線のそれぞれは、前記複数の発光部のそれぞれの前記第２極性電極として機能している第１部分と、隣り合う前記第１部分を物理的に相互に接続し、前記第１部分と実質的に同一の材料を含む第２部分と、を含む、発光モジュール。
【請求項６】
請求項１から４までのいずれか一項に記載の発光モジュールにおいて、
前記第１の第１極性配線及び前記第２の第１極性配線を含む複数の第１極性配線と、
前記第１の第２極性配線を含む複数の第２極性配線と、
前記複数の第１極性配線のそれぞれと前記複数の第２極性配線のそれぞれの交差部に位置し、前記第１発光部及び前記第２発光部を含む複数の発光部と、
を含み、
前記複数の第１極性配線のそれぞれは、前記複数の発光部のそれぞれの前記第１極性電極として機能している第１部分と、隣り合う前記第１部分を物理的に相互に接続し、前記第１部分と異なる材料を含む第２部分と、を含み、
前記複数の第２極性配線のそれぞれは、前記複数の発光部のそれぞれの前記第２極性電極として機能している第１部分と、隣り合う前記第１部分を物理的に相互に接続し、前記第１部分と異なる材料を含む第２部分と、を含む、発光モジュール。
【請求項７】
請求項１から６までのいずれか一項に記載の発光モジュールにおいて、
前記第２発光部は、前記第１発光部と実質的に等しい発光面積及び前記第１発光部と実質的に同じ輝度−電流密度特性を有し、
前記第２パルス電流の振幅は、前記第１パルス電流の振幅より小さい、発光モジュール。
【請求項８】
請求項７に記載の発光モジュールにおいて、
前記第２パルス電流のパルス幅及び振幅の積は、前記第１パルス電流のパルス幅及び振幅の積と実質的に等しい、発光モジュール。
【請求項９】
請求項１から６までのいずれか一項に記載の発光モジュールにおいて、
前記第２発光部は、前記第１発光部と異なる発光面積及び前記第１発光部と異なる輝度−電流密度特性のうちの少なくとも一方を有し、
前記第２発光部の輝度は、前記第１発光部の輝度と実質的に等しい、発光モジュール。
【請求項１０】
請求項１から９までのいずれか一項に記載の発光モジュールにおいて、
前記第１発光部及び前記第２発光部のそれぞれは、有機発光ダイオードである、発光モジュール。
【請求項１１】
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きい、発光装置を準備して、
第１パルス電流を前記第１発光部に流し、前記第１パルス電流のパルス幅より広いパルス幅を有する第２パルス電流を前記第２発光部に流す、発光装置の制御方法。
【請求項１２】
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きく、
第１パルス電流が前記第１発光部に流れ、前記第１パルス電流のパルス幅より広いパルス幅を有する第２パルス電流が前記第２発光部に流れる、発光装置。
【請求項１３】
発光装置を制御するための制御回路を含み、
前記発光装置は、
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きく、
前記制御回路は、第１パルス電流を前記第１発光部に流し、前記第１パルス電流のパルス幅より広いパルス幅を有する第２パルス電流を前記第２発光部に流す、制御装置。
【発明の詳細な説明】
【技術分野】
【０００１】
本発明は、発光モジュール、発光装置の制御方法、発光装置及び制御装置に関する。
【背景技術】
【０００２】
近年、発光装置がプロジェクタの光源に用いられており、例えば、ＡＤＡＳ（Ａｄｖａｎｃｅｄ  Ｄｒｉｖｅｒ−Ａｓｓｉｓｔａｎｃｅ  Ｓｙｓｔｅｍｓ）においては発光装置の光が地面（例えば、道路）に投射され、プロジェクションマッピングにおいては発光装置の光が対象物（例えば、建物）に投射される。このような分野においては、発光装置の高輝度が求められる。
【０００３】
発光装置の輝度を調整するため、ダイナミック駆動が用いられることがある。ダイナミック駆動では、パルス電流によって、発光ダイオード（ＬＥＤ）を人間の眼では検知することができない周期で明滅させる。ＬＥＤの輝度は、パルス電流のデューティ比によって調節される。一部のダイナミック駆動では、複数のＬＥＤをマトリクスに並べてドットマトリクスＬＥＤを構成し、又は複数のＬＥＤをセグメント（例えば、７セグメント）に並べてセグメントＬＥＤを構成する。
【０００４】
特許文献１には、複数の有機ＬＥＤ（ＯＬＥＤ）によって構成されたドットマトリクスＯＬＥＤをパッシブマトリクスに従って制御する方法の一例について記載されている。この例では、一のドット（画素）において、一の陰極配線（走査配線）が複数の陽極配線（信号配線）と交差している。
【０００５】
特許文献２には、ドットマトリクスＬＥＤ及びセグメントＬＥＤを有する発光装置について記載されている。特許文献２では、ドットマトリクスＬＥＤに表示される画像の輝度とセグメントＬＥＤに表示される画像の輝度のばらつきを抑えるため、ドットマトリクスＬＥＤの画素に流れる電流密度と当該画素の点灯時間の積及びセグメントＬＥＤの画素に流れる電流密度と当該画素の点灯時間の積を調整している。
【先行技術文献】
【特許文献】
【０００６】
【特許文献１】特開２００１−２１７０８１号公報
【特許文献２】特開２０１１−２０９５７７号公報
【発明の概要】
【発明が解決しようとする課題】
【０００７】
ダイナミック駆動においては、複数の画素（発光部）が共通の配線を介して共通の端子に接続されることがある。本発明者は、この端子から各画素（発光部）までの配線の内部抵抗に応じて、発光装置の高い駆動電圧が必要になり得ることを見出した。
【０００８】
本発明が解決しようとする課題としては、ダイナミック駆動において、発光装置の駆動電圧を抑えることが一例として挙げられる。
【課題を解決するための手段】
【０００９】
請求項１に記載の発明は、
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
制御回路と、
を含み、
前記第２発光部と前記第１の第２極性端子の間の電気抵抗は、前記第１発光部と前記第１の第２極性端子の間の電気抵抗より大きく、
前記制御回路は、第１パルス電流を前記第１発光部に流し、前記第１パルス電流のパルス幅より広いパルス幅を有する第２パルス電流を前記第２発光部に流す、発光モジュールである。
【００１０】
請求項１１に記載の発明は、
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きい、発光装置を準備して、
第１パルス電流を前記第１発光部に流し、前記第１パルス電流のパルス幅より広いパルス幅を有する第２パルス電流を前記第２発光部に流す、発光装置の制御方法である。
【００１１】
請求項１２に記載の発明は、
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きく、
第１パルス電流が前記第１発光部に流れ、前記第１パルス電流のパルス幅より広いパルス幅を有する第２パルス電流が前記第２発光部に流れる、発光装置である。
【００１２】
請求項１３に記載の発明は、
発光装置を制御するための制御回路を含み、
前記発光装置は、
第１の第１極性配線と、
第２の第１極性配線と、
第１の第２極性配線と、
前記第１の第２極性配線に接続された第１の第２極性端子と、
前記第１の第１極性配線に接続された第１極性電極と、前記第１の第２極性配線に接続された第２極性電極と、を有する第１発光部と、
前記第２の第１極性配線に接続された第１極性電極と、前記第１の第２極性配線に接続された第２極性電極と、を有する第２発光部と、
を含み、
前記第２発光部と前記第１の第２極性端子の間の電気抵抗は、前記第１発光部と前記第１の第２極性端子の間の電気抵抗より大きく、
前記制御回路は、第１パルス電流を前記第１発光部に流し、前記第１パルス電流のパルス幅より広いパルス幅を有する第２パルス電流を前記第２発光部に流す、制御装置である。
【図面の簡単な説明】
【００１３】
【図１】実施形態に係る発光モジュールを示す図である。
【図２】図１に示した制御装置（制御回路）による発光装置の制御方法の一例を説明するためのタイミングチャートを示す図である。
【図３】制御装置（制御回路）による発光装置の制御方法の他の一例を説明するための図である。
【図４】図１の第１の変形例を示す図である。
【図５】図１の第２の変形例を示す図である。
【図６】図５に示した制御装置（制御回路）による発光装置の制御方法の一例を説明するためのタイミングチャートを示す図である。
【図７】図１の第３の変形例を示す図である。
【図８】図７に示した制御装置（制御回路）による発光装置の制御方法の一例を説明するためのタイミングチャートを示す図である。
【図９】各発光部に流れるパルス電流のパルス幅及び振幅を検知する方法の一例を説明するための図である。
【図１０】（ａ）は、実施例に係る方法にしたがって駆動させた発光装置のシミュレーションにおける電圧のタイミングチャートを示す図であり、（ｂ）は、比較例に係る方法にしたがって駆動させた発光装置のシミュレーションにおける電圧のタイミングチャートを示す図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
図１は、実施形態に係る発光モジュール３０を示す図である。図２は、図１に示した制御装置２０（制御回路２００）による発光装置１０の制御方法の一例を説明するためのタイミングチャートを示す図である。
【００１６】
図１及び図２を用いて、発光モジュール３０の概要を説明する。発光モジュール３０は、第１の第１極性配線Ｌ１ａ（陽極配線ＡＬ２）、第２の第１極性配線Ｌ１ｂ（陽極配線ＡＬ４）、第１の第２極性配線Ｌ２ａ（陰極配線ＣＬ１）、第１の第２極性端子Ｔ２ａ（陰極端子ＣＴ１）、第１発光部１４０ａ、第２発光部１４０ｂ及び制御回路２００を含んでいる。第１の第２極性端子Ｔ２ａは、第１の第２極性配線Ｌ２ａに接続されている。第１発光部１４０ａは、第１の第１極性配線Ｌ１ａに接続された第１極性電極（図１に示す例では、陽極Ａ）及び第１の第２極性配線Ｌ２ａに接続された第２極性電極（図１に示す例では、陰極Ｋ）を有している。第２発光部１４０ｂは、第２の第１極性配線Ｌ１ｂに接続された第１極性電極（図１に示す例では、陽極Ａ）及び第１の第２極性配線Ｌ２ａに接続された第２極性電極（図１に示す例では、陰極Ｋ）を有している。第２発光部１４０ｂと第１の第２極性端子Ｔ２ａの間の電気抵抗は、第１発光部１４０ａと第１の第２極性端子Ｔ２ａの間の電気抵抗より大きくなっている。制御回路２００は、第１パルス電流（図２において電流源Ｊ１によって流れるパルス幅Δｔ２のパルス電流）を第１発光部１４０ａに流し、第１パルス電流のパルス幅より広いパルス幅を有する第２パルス電流（図２において電流源Ｊ１によって流れるパルス幅Δｔ４のパルス電流）を第２発光部１４０ｂに流す。
【００１７】
上述した構成によれば、ダイナミック駆動において、発光装置１０の駆動電圧を抑えることができる。具体的には、上述した構成においては、第２パルス電流のパルス幅（図２に示す例では、Δｔ４）は、第１パルス電流のパルス幅（図２に示す例では、Δｔ２）より広くなっている。したがって、第２発光部１４０ｂの輝度が第１発光部１４０ａの輝度と実質的に等しくなるための第２パルス電流の振幅は、第２パルス電流のパルス幅が第１パルス電流のパルス幅と等しい場合における当該振幅より小さくすることができる。したがって、第２パルス電流による第１の第２極性配線Ｌ２ａにおける電圧降下を抑えることができる。したがって、第２発光部１４０ｂに第２パルス電流を流すための電圧（すなわち、駆動電圧）を抑えることができる。
【００１８】
駆動電圧が低いことによって、制御回路２００は、安価な集積回路（ＩＣ）にすることができる。言い換えると、安価なＩＣであっても、発光装置１０をある程度高輝度に発光させることができる。
【００１９】
図１に示す例はドットマトリクスＬＥＤの例（つまり、第１発光部１４０ａ及び第２発光部１４０ｂのそれぞれがドットマトリクスＬＥＤの画素を構成している例）を示している。上述した説明から明らかなように、ドットマトリクスＬＥＤの例だけでなく、セグメントＬＥＤの例（つまり、第１発光部１４０ａ及び第２発光部１４０ｂのそれぞれがセグメントＬＥＤ（例えば、数字を表示するための７セグメントＬＥＤ）の画素を構成している例）においても、発光装置１０の駆動電圧を抑えることができる。
【００２０】
図１に示す例は、各発光部１４０が画素を構成している例を示している。上述した説明から明らかなように、各発光部１４０が画素を構成している例だけでなく、各発光部１４０が発光部材（例えば、特定の形状、例えば、矩形又は非矩形（例えば、円、楕円又はハート）の形状を有する発光板）を構成している例においても、発光装置１０の駆動電力を抑えることができる。
【００２１】
第２発光部１４０ｂは、第１発光部１４０ａと実質的に等しい発光面積及び第１発光部１４０ａと実質的に同じ輝度−電流密度特性を有していてもよい。第２発光部１４０ｂの輝度−電流密度特性は、例えば、第１発光部１４０ａ及び第２発光部１４０ｂが同一の発光材料を含む場合、第１発光部１４０ａの輝度−電流密度特性と実質的に等しくなる。この場合、第２パルス電流の振幅は、第１パルス電流の振幅より小さくてもよく、例えば、第２パルス電流のパルス幅及び振幅の積は、第１パルス電流のパルス幅及び振幅の積と実質的に等しくてもよい。各パルス電流のパルス幅及び振幅を制御して、第２発光部１４０ｂの輝度が第１発光部１４０ａの輝度と実質的に等しくなるようにすることができる。
【００２２】
図１では、第１極性及び第２極性の一例を説明するため、第１極性及び第２極性は、それぞれ、陽極及び陰極としている。図４を用いて後述するように、第１極性及び第２極性は、それぞれ、陰極及び陽極であってもよい。
【００２３】
図１では、第１発光部１４０ａ及び第２発光部１４０ｂの一例を説明するため、第１発光部１４０ａは、複数の陽極配線ＡＬのうちの陽極配線ＡＬ２及び複数の陰極配線ＣＬのうちの陰極配線ＣＬ１に接続された発光部１４０とし、第２発光部１４０ｂは、複数の陽極配線ＡＬのうちの陽極配線ＡＬ４及び複数の陰極配線ＣＬのうちの陰極配線ＣＬ１に接続された発光部１４０としている。当然のことながら、第１発光部１４０ａ及び第２発光部１４０ｂは、他の発光部１４０、例えば、共通の陰極配線ＣＬに接続された発光部１４０であってもよい。
【００２４】
発光モジュール３０は、第２の第２極性配線Ｌ２ｂ（陰極配線ＣＬ３）、第２の第２極性端子Ｔ２ｂ（陰極端子ＣＴ３）、第３発光部１４０ｃ及び第４発光部１４０ｄをさらに含んでいる。第２の第２極性端子Ｔ２ｂは、第２の第２極性配線Ｌ２ｂに接続されている。第３発光部１４０ｃは、第１の第１極性配線Ｌ１ａに接続された第１極性電極（図１に示す例では、陽極Ａ）及び第２の第２極性配線Ｌ２ｂに接続された第２極性電極（図１に示す例では、陰極Ｋ）を有している。第４発光部１４０ｄは、第２の第１極性配線Ｌ１ｂに接続された第１極性電極（図１に示す例では、陽極Ａ）及び第２の第２極性配線Ｌ２ｂに接続された第２極性電極（図１に示す例では、陰極Ｋ）を有している。第４発光部１４０ｄと第２の第２極性端子Ｔ２ｂの間の電気抵抗は、第３発光部１４０ｃと第２の第２極性端子Ｔ２ｂの間の電気抵抗より大きくなっている。制御回路２００は、第３パルス電流（図２において電流源Ｊ３によって流れるパルス幅Δｔ２のパルス電流）を第３発光部１４０ｃに流し、第３パルス電流のパルス幅より広いパルス幅を有する第４パルス電流（図２において電流源Ｊ３によって流れるパルス幅Δｔ４のパルス電流）を第４発光部１４０ｄに流す。
【００２５】
上述した構成においては、ドットマトリクスＬＥＤのダイナミック駆動において、発光装置１０の駆動電圧を抑えることができる。具体的には、上述した構成においては、第１発光部１４０ａ、第２発光部１４０ｂ、第３発光部１４０ｃ及び第４発光部１４０ｄは、ドットマトリクスＬＥＤの少なくとも一部分を構成することができる。上述したように、第２発光部１４０ｂに第２パルス電流を流すための電圧（すなわち、駆動電圧）を抑えることができる。さらに、同様にして、第４発光部１４０ｄに第４パルス電流を流すための電圧（すなわち、駆動電圧）を抑えることができる。
【００２６】
図１では、第３発光部１４０ｃ及び第４発光部１４０ｄの一例を説明するため、第３発光部１４０ｃは、複数の陽極配線ＡＬのうちの陽極配線ＡＬ２及び複数の陰極配線ＣＬのうちの陰極配線ＣＬ３に接続された発光部１４０とし、第４発光部１４０ｄは、複数の陽極配線ＡＬのうちの陽極配線ＡＬ４及び複数の陰極配線ＣＬのうちの陰極配線ＣＬ３に接続された発光部１４０としている。当然のことながら、第３発光部１４０ｃ及び第４発光部１４０ｄは、他の発光部１４０、例えば、共通の陰極配線ＣＬに接続された発光部１４０であってもよい。
【００２７】
図２に示す例において、第３パルス電流（電流源Ｊ３によって流れるパルス幅Δｔ２のパルス電流）及び第４パルス電流（電流源Ｊ３によって流れるパルス幅Δｔ４のパルス電流）は、第１パルス電流（電流源Ｊ１によって流れるパルス幅Δｔ２のパルス電流）と同じタイミング及び第２パルス電流（電流源Ｊ１によって流れるパルス幅Δｔ４のパルス電流）と同じタイミングでそれぞれ流れている。他の例において、第３パルス電流及び第４パルス電流は、第１パルス電流と異なるタイミング及び第２パルス電流と異なるタイミングにおいてそれぞれ流れてもよい。第３パルス電流及び第４パルス電流が第１パルス電流と異なるタイミング及び第２パルス電流と異なるタイミングにおいてそれぞれ流れる場合、第３パルス電流のパルス幅及び第４パルス電流のパルス幅は、第１パルス電流のパルス幅及び第２パルス電流のパルス幅からそれぞれ独立して決定することができる。
【００２８】
発光モジュール３０は、第３の第１極性配線Ｌ１ｃ（陽極配線ＡＬ３）及び第５発光部１４０ｅをさらに含んでいる。第５発光部１４０ｅは、第３の第１極性配線Ｌ１ｃに接続された第１極性電極（図１に示す例では、陽極Ａ）及び第１の第２極性配線Ｌ２ａに接続された第２極性電極（図１に示す例では、陰極Ｋ）を有している。第２発光部１４０ｂと第１の第２極性端子Ｔ２ａの間の電気抵抗は、第５発光部１４０ｅと第１の第２極性端子Ｔ２ａの間の電気抵抗より大きくなっている。制御回路２００は、第２パルス電流（図２において電流源Ｊ１によって流れるパルス幅Δｔ４のパルス電流）のパルス幅より狭いパルス幅を有する第５パルス電流（図２において電流源Ｊ１によって流れるパルス幅Δｔ３のパルス電流）を第５発光部１４０ｅに流す。
【００２９】
上述した構成においては、第２発光部１４０ｂの輝度が第５発光部１４０ｅの輝度と実質的に等しくなるための第２パルス電流の振幅は、第２パルス電流のパルス幅が第５パルス電流のパルス幅と等しい場合における当該振幅より小さくすることができる。したがって、第２パルス電流による第１の第２極性配線Ｌ２ａにおける電圧降下を抑えることができる。したがって、第２発光部１４０ｂに第２パルス電流を流すための電圧（すなわち、駆動電圧）を抑えることができる。
【００３０】
図１では、第５発光部１４０ｅの一例を説明するため、第５発光部１４０ｅは、複数の陽極配線ＡＬのうちの陽極配線ＡＬ３及び複数の陰極配線ＣＬのうちの陰極配線ＣＬ１に接続された発光部１４０としている。当然のことながら、第５発光部１４０ｅは、他の発光部１４０、例えば、第１発光部１４０ａ及び第２発光部１４０ｂと共通の陰極配線ＣＬに接続された発光部１４０であってもよい。
【００３１】
図１を用いて、発光モジュール３０の詳細を説明する。
【００３２】
発光モジュール３０は、発光装置１０及び制御装置２０を含んでいる。発光装置１０の発光は、制御装置２０によって制御されている。
【００３３】
発光装置１０は、基板１００、複数の陽極配線ＡＬ、複数の陰極配線ＣＬ、複数の陽極端子ＡＴ、複数の陰極端子ＣＴ及び複数の発光部１４０を含んでいる。
【００３４】
基板１００は、例えば、ガラス基板又は樹脂基板である。基板１００は、可撓性を有していてもよいし、又は有していなくてもよい。基板１００は、透光性を有していてもよいし、又は有していなくてもよい。複数の陽極配線ＡＬ、複数の陰極配線ＣＬ、複数の陽極端子ＡＴ、複数の陰極端子ＣＴ及び複数の発光部１４０は、基板１００に設けられている。図１に示す例では、制御装置２０は、基板１００の外部に設けられている。他の例において、制御装置２０は、基板１００上に搭載されていてもよい。
【００３５】
複数の陽極配線ＡＬは、複数の陰極配線ＣＬと交差している。複数の陽極配線ＡＬは、陽極配線ＡＬ１、陽極配線ＡＬ２、陽極配線ＡＬ３、陽極配線ＡＬ４及び陽極配線ＡＬ５を順に含んでいる。複数の陰極配線ＣＬは、陰極配線ＣＬ１、陰極配線ＣＬ２、陰極配線ＣＬ３、陰極配線ＣＬ４及び陰極配線ＣＬ５を順に含んでいる。
【００３６】
複数の陽極端子ＡＴは、陽極配線ＡＬ１、陽極配線ＡＬ２、陽極配線ＡＬ３、陽極配線ＡＬ４及び陽極配線ＡＬ５にそれぞれ接続された陽極端子ＡＴ１、陽極端子ＡＴ２、陽極端子ＡＴ３、陽極端子ＡＴ４及び陽極端子ＡＴ４を含んでいる。複数の陰極端子ＣＴは、陰極配線ＣＬ１、陰極配線ＣＬ２、陰極配線ＣＬ３、陰極配線ＣＬ４及び陰極配線ＣＬ５にそれぞれ接続された陰極端子ＣＴ１、陰極端子ＣＴ２、陰極端子ＣＴ３、陰極端子ＣＴ４及び陰極端子ＣＴ５を含んでいる。
【００３７】
複数の発光部１４０は、複数の陽極配線ＡＬのそれぞれと複数の陰極配線ＣＬのそれぞれの交差部に位置している。複数の発光部１４０は、５行４列のマトリクスに並べられて、ドットマトリクスＬＥＤを構成している。このドットマトリクスＬＥＤは、制御装置２０によってパッシブマトリクスに従って制御される。ただし、複数の発光部１４０によって構成されるマトリクスは、複数の行を有していなくてもよく、１行のみを有していてもよく、例えば、１行４列のマトリクス又は１行５列のマトリクスなどでもよい。
【００３８】
各発光部１４０は、ＬＥＤである。一例において、各発光部１４０は、有機発光ダイオード（ＯＬＥＤ）にすることができる。この例において、各発光部１４０は、陽極Ａと陰極Ｋの間に有機層を含む。有機層は、有機エレクトロルミネッセンス（ＥＬ）によって光を発する発光層（ＥＭＬ）を含み、正孔注入層（ＨＩＬ）、正孔輸送層（ＨＴＬ）、電子輸送層（ＥＴＬ）及び電子注入層（ＥＩＬ）を適宜含んでいてもよく、電荷発生層（ＣＧＬ）を適宜さらに含んでいてもよい。他の例において、各発光部１４０は、無機ＬＥＤであってもよい。
【００３９】
各陽極配線ＡＬは、各発光部１４０の陽極Ａとして機能している第１部分及び隣り合う第１部分を物理的に相互に接続する第２部分を含んでいる。一例において、陽極配線ＡＬの第２部分は、陽極配線ＡＬの第１部分と実質的に同一の材料を含んでいてもよい。この例においては、ライン状にパターニングされた導電層（例えば、透明導電層）が陽極配線ＡＬとなり、この導電層の一部分が陽極配線ＡＬの第１部分となるようにし、この導電層の他の一部分が陽極配線ＡＬの第２部分となるようにすることができる。他の例において、陽極配線ＡＬの第２部分は、陽極配線ＡＬの第１部分と異なる材料を含んでいてもよい。この例においては、ドット状にパターニングされた複数の導電層のそれぞれが陽極配線ＡＬの第１部分となるようにし、ドット状にパターニングされた導電層を相互に接続するように線分状にパターニングされた複数の導電層が陽極配線ＡＬの第２部分となるようにすることができる。この例において、線分状にパターニングされた導電層（陽極配線ＡＬの第２部分）の電気抵抗は、ドット状にパターニングされた導電層（陽極配線ＡＬの第１部分）の電気抵抗より低くてもよい。例えば、線分状にパターニングされた導電層は、低抵抗の金属層にすることができ、ドット状にパターニングされた導電層は、高抵抗の透明導電層にすることができる。
【００４０】
各陰極配線ＣＬは、各発光部１４０の陰極Ｋとして機能している第１部分及び隣り合う第１部分を物理的に相互に接続する第２部分を含んでいる。一例において、陰極配線ＣＬの第２部分は、陰極配線ＣＬの第１部分と実質的に同一の材料を含んでいてもよい。この例においては、ライン状にパターニングされた導電層（例えば、金属層）が陰極配線ＣＬとなり、この導電層の一部分が陰極配線ＣＬの第１部分となるようにし、この導電層の他の一部分が陰極配線ＣＬの第２部分となるようにすることができる。他の例において、陰極配線ＣＬの第２部分は、陰極配線ＣＬの第１部分と異なる材料を含んでいてもよい。この例においては、ドット状にパターニングされた複数の導電層のそれぞれが陰極配線ＣＬの第１部分となるようにし、ドット状にパターニングされた導電層を相互に接続するように線分状にパターニングされた複数の導電層が陰極配線ＣＬの第２部分となるようにすることができる。この例において、線分状にパターニングされた導電層（陰極配線ＣＬの第２部分）の電気抵抗は、ドット状にパターニングされた導電層（陰極配線ＣＬの第１部分）の電気抵抗より低くてもよい。例えば、線分状にパターニングされた導電層は、低抵抗の金属層にすることができ、ドット状にパターニングされた導電層は、高抵抗の透明導電層にすることができる。
【００４１】
陽極配線ＡＬの第２部分が陽極配線ＡＬの第１部分と実質的に同一の材料を含む場合、陰極配線ＣＬの第２部分は、陰極配線ＣＬの第１部分と実質的に同一の材料を含んでいてもよいし、又は陰極配線ＣＬの第１部分と異なる材料を含んでいてもよい。陽極配線ＡＬの第２部分が陽極配線ＡＬの第１部分と異なる材料を含む場合、陰極配線ＣＬの第２部分は、陰極配線ＣＬの第１部分と実質的に同一の材料を含んでいてもよいし、又は陰極配線ＣＬの第１部分と異なる材料を含んでいてもよい。
【００４２】
各陽極配線ＡＬは、内部抵抗（電気抵抗）を有している。陽極端子ＡＴと発光部１４０の間における陽極配線ＡＬの内部抵抗は、陽極端子ＡＴと発光部１４０の間の陽極配線ＡＬの長さが長いほど大きくなる。図１に示す例では、各発光部１４０を流れる電流が陽極配線ＡＬによって受ける内部抵抗は、陰極配線ＣＬ４に接続された発光部１４０、陰極配線ＣＬ３に接続された発光部１４０、陰極配線ＣＬ２に接続された発光部１４０及び陰極配線ＣＬ１に接続された発光部１４０の順に大きくなっている。
【００４３】
各陰極配線ＣＬは、内部抵抗（電気抵抗）を有している。陰極端子ＣＴと発光部１４０の間における陰極配線ＣＬの内部抵抗は、陰極端子ＣＴと発光部１４０の間の陰極配線ＣＬの長さが長いほど大きくなる。図１に示す例では、各発光部１４０を流れる電流が陰極配線ＣＬによって受ける内部抵抗は、陽極配線ＡＬ１に接続された発光部１４０、陽極配線ＡＬ２に接続された発光部１４０、陽極配線ＡＬ３に接続された発光部１４０及び陽極配線ＡＬ４に接続された発光部１４０の順に大きくなっている。
【００４４】
制御装置２０は、制御回路２００を含んでいる。制御回路２００は、複数のトランジスタＱ及び複数の電流源Ｊを含んでいる。複数のトランジスタＱは、陽極端子ＡＴ１、陽極端子ＡＴ２、陽極端子ＡＴ３、陽極端子ＡＴ４及び陽極端子ＡＴ５にそれぞれ接続されたトランジスタＱ１、トランジスタＱ２、トランジスタＱ３、トランジスタＱ４及びトランジスタＱ５を含んでいる。複数の電流源Ｊは、陰極端子ＣＴ１、陰極端子ＣＴ２、陰極端子ＣＴ３及び陰極端子ＣＴ４にそれぞれ接続された電流源Ｊ１、電流源Ｊ２、電流源Ｊ３及び電流源Ｊ４を含んでいる。
【００４５】
陽極端子ＡＴは、トランジスタＱがオンされると高電位となり、トランジスタＱがオフされると低電位（接地電位）となる。図１に示す例において、トランジスタＱは、ＰＮＰバイポーラトランジスタである。他の例において、トランジスタＱは、ＰチャネルＦＥＴ（Ｆｉｅｌｄ  Ｅｆｆｅｃｔ  Ｔｒａｎｓｉｓｔｏｒ）であってもよい。
【００４６】
電流源Ｊは、発光装置１０に対して電流シンクとなっている。電流源Ｊは、オンにおいて電流を流し、オフにおいて電流を流さない。電流源Ｊによって流れる電流は、電流源Ｊに印加される電圧に応じて制御される。電流源Ｊは、例えばＬＥＤドライバのような集積回路（ＩＣ）で構成されている。電流源Ｊに流れる電流は、例えばＩＣに接続する抵抗値又はＩＣに入力されるアナログ電圧で制御される。
【００４７】
図２を用いて、制御装置２０（制御回路２００）による発光装置１０の制御方法の一例を説明する。
【００４８】
トランジスタＱ１、トランジスタＱ２、トランジスタＱ３、トランジスタＱ４及びトランジスタＱ５は、順にオンされている。電流源Ｊ１、電流源Ｊ２、電流源Ｊ３及び電流源Ｊ４は、トランジスタＱ１、トランジスタＱ２、トランジスタＱ３、トランジスタＱ４及びトランジスタＱ５と同期して選択的にオンされている。図２に示す例では、いずれかのトランジスタＱがオンされると、すべての電流源Ｊがオンされている。他の例において、いずれかのトランジスタＱがオンされると、複数の電流源Ｊのうちの一部の電流源Ｊはオンされ、複数の電流源Ｊのうちの他の一部の電流源Ｊはオフのままであってもよい。
【００４９】
トランジスタＱ１のオンに同期して各電流源Ｊによって流れるパルス電流のパルス幅Δｔ１、トランジスタＱ２のオンに同期して各電流源Ｊによって流れるパルス電流のパルス幅Δｔ２、トランジスタＱ３のオンに同期して各電流源Ｊによって流れるパルス電流のパルス幅Δｔ３、トランジスタＱ４のオンに同期して各電流源Ｊによって流れるパルス電流のパルス幅Δｔ４及びトランジスタＱ５のオンに同期して各電流源Ｊによって流れるパルス電流のパルス幅Δｔ５は、順に広くなっている（Δｔ１＜Δｔ２＜Δｔ３＜Δｔ４＜Δｔ５）。つまり、各パルス電流のパルス幅は、当該パルス電流が陰極配線ＣＬにおいて受ける電気抵抗が大きくなるほど広くなっている。したがって、各発光部１４０の輝度が互いに実質的に等しくなるように、パルス幅に応じてパルス電流の振幅を抑えることができる。このようにして、陰極配線ＣＬにおける電圧降下を抑えることができる。
【００５０】
各発光部１４０が互いに実質的に等しい発光面積及び互いに実質的に同じ輝度−電流密度特性を有する場合、各電流源Ｊにおいては、トランジスタＱ１のオンに同期して流れるパルス電流の振幅、トランジスタＱ２のオンに同期して流れるパルス電流の振幅、トランジスタＱ３のオンに同期して流れるパルス電流の振幅、トランジスタＱ４のオンに同期して流れるパルス電流の振幅及びトランジスタＱ５のオンに同期して流れるパルス電流の振幅は、順に小さくなっていてもよく、例えば、各パルス電流のパルス幅及び振幅の積は、互いに実質的に等しくなっていてもよい。各パルス電流のパルス幅及び振幅を制御して、各発光部１４０の輝度が互いに実質的に等しくなるようにすることができる。
【００５１】
図３は、制御装置２０（制御回路２００）による発光装置１０の制御方法の他の一例を説明するための図である。
【００５２】
複数のトランジスタＱのうちトランジスタＱ２がオンされており、複数の電流源Ｊのうち電流源Ｊ１及び電流源Ｊ３がオンされている。したがって、トランジスタＱ２以外のトランジスタＱに接続された発光部１４０は発光せず、トランジスタＱ２に接続された複数の発光部１４０においては、電流源Ｊ１又は電流源Ｊ３に接続された発光部１４０は発光し、電流源Ｊ２又は電流源Ｊ４に接続された発光部１４０は発光しない。
【００５３】
オンされたトランジスタＱ（トランジスタＱ２）に接続された陽極端子ＡＴ（陽極端子ＡＴ２）の電圧は電圧Ｈとなっており、オフされたトランジスタＱ（トランジスタＱ２以外のトランジスタＱ）に接続された陽極端子ＡＴ（陽極端子ＡＴ２以外の陽極端子ＡＴ）は接地されている。クロストークを防ぐため、オフされた電流源Ｊ（電流源Ｊ２及び電流源Ｊ４）に接続された陰極端子ＣＴ（陰極端子ＣＴ２及び陰極端子ＣＴ４）の電圧は電圧Ｈとなっている。これに対して、オンされた電流源Ｊ（電流源Ｊ１及び電流源Ｊ３）に接続された陰極端子ＣＴ（陰極端子ＣＴ１及び陰極端子ＣＴ３）の電圧は、電流源Ｊ１及び電流源Ｊ３をオンさせるための電圧ＶＦにより、電圧Ｈ−ＶＦとなっている。
【００５４】
図１及び図２を用いて説明した上述の制御によれば、オフされたトランジスタＱ及びオフされた電流源Ｊに接続された発光部１４０の逆バイアスを抑えることができる。具体的には、図３に示す例においては、オフされたトランジスタＱ（トランジスタＱ２以外のトランジスタＱ）及びオフされた電流源Ｊ（電流源Ｊ２及び電流源Ｊ４）に接続された発光部１４０には、電圧Ｈに応じた逆バイアスが印加される。電圧Ｈは、陽極端子ＡＴから陰極端子ＣＴまでの陽極配線ＡＬ及び陰極配線ＣＬによる電圧降下が大きくなるほど大きくなる。上述したように、図１及び図２を用いて説明した制御によれば、この電圧降下を抑えることができる。したがって、オフされたトランジスタＱ（トランジスタＱ２以外のトランジスタＱ）及びオフされた電流源Ｊ（電流源Ｊ２及び電流源Ｊ４）に接続された発光部１４０の逆バイアスを抑えることができる。
【００５５】
図４は、図１の第１の変形例を示す図である。
【００５６】
図４に示す例では、電流源Ｊ１、電流源Ｊ２、電流源Ｊ３、電流源Ｊ４及び電流源Ｊ５が陽極端子ＡＴ１、陽極端子ＡＴ２、陽極端子ＡＴ３、陽極端子ＡＴ４及び陽極端子ＡＴ５にそれぞれ接続されており、トランジスタＱ１、トランジスタＱ２、トランジスタＱ３及びトランジスタＱ４が陰極端子ＣＴ１、陰極端子ＣＴ２、陰極端子ＣＴ３及び陰極端子ＣＴ４にそれぞれ接続されている。
【００５７】
電流源Ｊは、発光装置１０に対して電流ソースとなっている。電流源Ｊは、オンにおいて電流を流し、オフにおいて電流を流さない。
【００５８】
図４に示す例において、トランジスタＱは、ＮＰＮバイポーラトランジスタである。他の例において、トランジスタＱは、ＮチャネルＦＥＴ（Ｆｉｅｌｄ  Ｅｆｆｅｃｔ  Ｔｒａｎｓｉｓｔｏｒ）であってもよい。
【００５９】
図２を用いて説明した例と同様にして、電流源Ｊ１、電流源Ｊ２、電流源Ｊ３、電流源Ｊ４及び電流源Ｊ５は、トランジスタＱ１、トランジスタＱ２、トランジスタＱ３及びトランジスタＱ４と同期して選択的にオンさせることができる。オンされた電流源Ｊ及びオンされた電流源Ｊに接続された発光部１４０は、発光する。
【００６０】
図１に示した例と同様にして、発光モジュール３０は、第１の第１極性配線Ｌ１ａ（陰極配線ＣＬ１）、第２の第１極性配線Ｌ１ｂ（陰極配線ＣＬ３）、第３の第１極性配線Ｌ１ｃ（陰極配線ＣＬ２）、第１の第２極性配線Ｌ２ａ（陽極配線ＡＬ２）、第２の第２極性配線Ｌ２ｂ（陽極配線ＡＬ４）、第１の第２極性端子Ｔ２ａ（陽極端子ＡＴ２）、第２の第２極性端子Ｔ２ｂ（陽極端子ＡＴ４）、第１発光部１４０ａ、第２発光部１４０ｂ、第３発光部１４０ｃ、第４発光部１４０ｄ、第５発光部１４０ｅ及び制御回路２００を含んでいる。
【００６１】
図４に示す例では、第１極性及び第２極性は、それぞれ、陰極及び陽極となっている。
【００６２】
第２発光部１４０ｂと第１の第２極性端子Ｔ２ａの間の電気抵抗は、第１発光部１４０ａと第１の第２極性端子Ｔ２ａの間の電気抵抗より大きくなっている。制御回路２００は、第１パルス電流を第１発光部１４０ａに流し、第１パルス電流のパルス幅より広いパルス幅を有する第２パルス電流を第２発光部１４０ｂに流す。したがって、第２発光部１４０ｂの輝度が第１発光部１４０ａの輝度と実質的に等しくなるための第２パルス電流の振幅は、第２パルス電流のパルス幅が第１パルス電流のパルス幅と等しい場合における当該振幅より小さくすることができる。したがって、第２パルス電流による第１の第２極性配線Ｌ２ａにおける電圧降下を抑えることができる。したがって、第２発光部１４０ｂに第２パルス電流を流すための電圧（すなわち、駆動電圧）を抑えることができる。
【００６３】
第４発光部１４０ｄと第２の第２極性端子Ｔ２ｂの間の電気抵抗は、第３発光部１４０ｃと第２の第２極性端子Ｔ２ｂの間の電気抵抗より大きくなっている。制御回路２００は、第３パルス電流を第３発光部１４０ｃに流し、第３パルス電流のパルス幅より広いパルス幅を有する第４パルス電流を第４発光部１４０ｄに流す。したがって、第４発光部１４０ｄの輝度が第３発光部１４０ｃの輝度と実質的に等しくなるための第４パルス電流の振幅は、第４パルス電流のパルス幅が第３パルス電流のパルス幅と等しい場合における当該振幅より小さくすることができる。したがって、第４パルス電流による第２の第２極性配線Ｌ２ｂにおける電圧降下を抑えることができる。したがって、第４発光部１４０ｄに第４パルス電流を流すための電圧（すなわち、駆動電圧）を抑えることができる。
【００６４】
図５は、図１の第２の変形例を示す図である。
【００６５】
発光装置１０は、陰極端子ＣＴ１、陰極端子ＣＴ２、陰極端子ＣＴ３、陰極端子ＣＴ４、陰極端子ＣＴ５、陰極端子ＣＴ６、陰極端子ＣＴ７及び陰極端子ＣＴ８を含んでいる。陰極端子ＣＴ１及び陰極端子ＣＴ５は、陰極配線ＣＬ１の一端及びもう一端にそれぞれ接続されており、電流源Ｊ１に接続されている。陰極端子ＣＴ２及び陰極端子ＣＴ６は、陰極配線ＣＬ２の一端及びもう一端にそれぞれ接続されており、電流源Ｊ２に接続されている。陰極端子ＣＴ３及び陰極端子ＣＴ７は、陰極配線ＣＬ３の一端及びもう一端にそれぞれ接続されており、電流源Ｊ３に接続されている。陰極端子ＣＴ４及び陰極端子ＣＴ８は、陰極配線ＣＬ４の一端及びもう一端にそれぞれ接続されており、電流源Ｊ４に接続されている。陰極端子ＣＴから電流源Ｊの間は、例えばフレキシブル配線（ＦＰＣ）などの陰極配線ＣＬより低抵抗な配線で接続することができる。したがって、各発光部１４０を流れる電流が陰極配線ＣＬによって受ける内部抵抗は、トランジスタＱ１又はトランジスタＱ５に接続された発光部１４０、トランジスタＱ２又はトランジスタＱ４に接続された発光部１４０及びトランジスタＱ３に接続された発光部１４０の順に大きくなっている。
【００６６】
発光モジュール３０は、第１の第１極性配線Ｌ１ａ（陽極配線ＡＬ２）、第２の第１極性配線Ｌ１ｂ（陽極配線ＡＬ３）、第３の第１極性配線Ｌ１ｃ（陽極配線ＡＬ４）、第１の第２極性配線Ｌ２ａ（陰極配線ＣＬ１）、第１の第２極性端子Ｔ２ａ（陰極端子ＣＴ１）、第３の第２極性端子Ｔ２ｃ（陰極端子ＣＴ５）、第１発光部１４０ａ、第２発光部１４０ｂ及び第５発光部１４０ｅを含んでいる。第１発光部１４０ａ、第２発光部１４０ｂ及び第５発光部１４０ｅは、第１の第２極性端子Ｔ２ａと第３の第２極性端子Ｔ２ｃの間で第１の第２極性配線Ｌ２ａに接続されている。
【００６７】
図６は、図５に示した制御装置２０（制御回路２００）による発光装置１０の制御方法の一例を説明するためのタイミングチャートを示す図である。
【００６８】
第２発光部１４０ｂと第１の第２極性端子Ｔ２ａの間の電気抵抗は、第１発光部１４０ａと第１の第２極性端子Ｔ２ａの間の電気抵抗より大きくなっている。制御回路２００は、第１パルス電流（図６において電流源Ｊ１によって流れるパルス幅Δｔ２のパルス電流）を第１発光部１４０ａに流し、第１パルス電流のパルス幅より広いパルス幅を有する第２パルス電流（図６において電流源Ｊ１によって流れるパルス幅Δｔ３のパルス電流）を第２発光部１４０ｂに流す。したがって、第２発光部１４０ｂの輝度が第１発光部１４０ａの輝度と実質的に等しくなるための第２パルス電流の振幅は、第２パルス電流のパルス幅が第１パルス電流のパルス幅と等しい場合における当該振幅より小さくすることができる。したがって、第２パルス電流による第１の第２極性配線Ｌ２ａにおける電圧降下を抑えることができる。したがって、第２発光部１４０ｂに第２パルス電流を流すための電圧（すなわち、駆動電圧）を抑えることができる。
【００６９】
第２発光部１４０ｂと第３の第２極性端子Ｔ２ｃの間の電気抵抗は、第５発光部１４０ｅと第３の第２極性端子Ｔ２ｃの間の電気抵抗より大きくなっている。制御回路２００は、第２パルス電流（図６において電流源Ｊ１によって流れるパルス幅Δｔ３のパルス電流）を第２発光部１４０ｂに流し、第２パルス電流のパルス幅より狭いパルス幅を有する第５パルス電流（図６において電流源Ｊ１によって流れるパルス幅Δｔ４のパルス電流）を第５発光部１４０ｅに流す。したがって、第２発光部１４０ｂの輝度が第５発光部１４０ｅの輝度と実質的に等しくなるための第２パルス電流の振幅は、第２パルス電流のパルス幅が第５パルス電流のパルス幅と等しい場合における当該振幅より小さくすることができる。したがって、第２パルス電流による第１の第２極性配線Ｌ２ａにおける電圧降下を抑えることができる。したがって、第２発光部１４０ｂに第２パルス電流を流すための電圧（すなわち、駆動電圧）を抑えることができる。
【００７０】
図５では、第１発光部１４０ａ、第２発光部１４０ｂ及び第５発光部１４０ｅの一例を説明するため、第１発光部１４０ａは、複数の陽極配線ＡＬのうちの陽極配線ＡＬ２及び複数の陰極配線ＣＬのうちの陰極配線ＣＬ１に接続された発光部１４０とし、第２発光部１４０ｂは、複数の陽極配線ＡＬのうちの陽極配線ＡＬ３及び複数の陰極配線ＣＬのうちの陰極配線ＣＬ１に接続された発光部１４０とし、第５発光部１４０ｅは、複数の陽極配線ＡＬのうちの陽極配線ＡＬ４及び複数の陰極配線ＣＬのうちの陰極配線ＣＬ１に接続された発光部１４０としている。当然のことながら、第１発光部１４０ａ、第２発光部１４０ｂ及び第５発光部１４０ｅは、他の発光部１４０、例えば、共通の陰極配線ＣＬに接続された発光部１４０であってもよい。
【００７１】
図７は、図１の第３の変形例を示す図である。
【００７２】
各発光部１４０は、互いに異なる発光面積及び互いに異なる輝度−電流密度特性のうちの少なくとも一方を有していてもよい。この場合、図８を用いて後述するように、発光面積及び輝度−電流密度特性のうちの少なくとも一方に応じて、各発光部１４０に流れるパルス電流のパルス幅及び振幅を制御して、各発光部１４０の輝度が互いに実質的に等しくなるようにすることができる。
【００７３】
図８は、図７に示した制御装置２０（制御回路２００）による発光装置１０の制御方法の一例を説明するためのタイミングチャートを示す図である。図８の各電流源Ｊにおいて破線で示される振幅レベルＳＬは、各発光部１４０が互いに実質的に等しい発光面積及び互いに実質的に同じ輝度−電流密度特性を有する場合に各発光部１４０の輝度が互いに実質的に等しくなるための振幅レベルを示している。
【００７４】
図７及び図８を用いて、電流源Ｊ１に接続された複数の発光部１４０について説明する。
【００７５】
各発光部１４０は、互いに実質的に同じ輝度−電流密度特性を有しており、具体的には、互いに実質的に同じ色の光を発する。トランジスタＱ２又はトランジスタＱ４に接続された発光部１４０は、互いに実質的に等しい発光面積を有している。トランジスタＱ１に接続された発光部１４０は、トランジスタＱ２又はトランジスタＱ４に接続された発光部１４０の発光面積より小さな発光面積を有している。トランジスタＱ３に接続された発光部１４０は、トランジスタＱ２又はトランジスタＱ４に接続された発光部１４０の発光面積より大きな発光面積を有している。
【００７６】
各発光部１４０に流れるパルス電流の振幅は、各発光部１４０の発光面積に応じて制御され、各発光部１４０の輝度が互いに実質的に等しくなるようになっている。トランジスタＱ１又はトランジスタＱ３に接続された発光部１４０の輝度をトランジスタＱ２又はトランジスタＱ４に接続された発光部１４０の輝度と適合させるためには、トランジスタＱ１に接続された小面積の発光部１４０のパルス電流の振幅は、振幅レベルＳＬより小さくする必要があり、トランジスタＱ３に接続された大面積の発光部１４０のパルス電流の振幅は、振幅レベルＳＬより大きくする必要がある。
【００７７】
図７及び図８を用いて、電流源Ｊ２に接続された複数の発光部１４０について説明する。
【００７８】
各発光部１４０は、互いに実質的に等しい発光面積を有している。トランジスタＱ２又はトランジスタＱ４に接続された発光部１４０は、トランジスタＱ１又はトランジスタＱ３に接続された発光部１４０と異なる輝度−電流密度特性を有しており、具体的には、トランジスタＱ２又はトランジスタＱ４に接続された発光部１４０の一定電流密度における輝度は、トランジスタＱ１又はトランジスタＱ３に接続された発光部１４０の一定電流密度における輝度より低くなっている。例えば、トランジスタＱ１又はトランジスタＱ３に接続された発光部１４０は緑色の光を発し、トランジスタＱ２又はトランジスタＱ４に接続された発光部１４０は赤色の光を発する。
【００７９】
各発光部１４０に流れるパルス電流の振幅は、各発光部１４０の発光面積に応じて制御され、各発光部１４０の輝度が互いに実質的に等しくなるようになっている。トランジスタＱ２又はトランジスタＱ４に接続された発光部１４０の輝度をトランジスタＱ１又はトランジスタＱ３に接続された発光部１４０の輝度と適合させるためには、トランジスタＱ２又はトランジスタＱ４に接続された低輝度の発光部１４０のパルス電流の振幅は、振幅レベルＳＬより大きくする必要がある。
【００８０】
図７及び図８を用いて、電流源Ｊ３に接続された複数の発光部１４０について説明する。
【００８１】
各発光部１４０は、互いに異なる発光面積を有しており、互いに異なる発光領域形状をさらに有している。トランジスタＱ３に接続された発光部１４０は、トランジスタＱ１、トランジスタＱ２又はトランジスタＱ４に接続された発光部１４０と異なる輝度−電流密度特性を有しており、具体的には、トランジスタＱ３に接続された発光部１４０の一定電流密度における輝度は、トランジスタＱ１、トランジスタＱ２又はトランジスタＱ４に接続された発光部１４０の一定電流密度における輝度より低くなっている。例えば、トランジスタＱ３に接続された発光部１４０は緑色の光を発し、トランジスタＱ１、トランジスタＱ２又はトランジスタＱ４に接続された発光部１４０は赤色の光を発する。
【００８２】
各発光部１４０に流れるパルス電流の振幅は、各発光部１４０の発光面積及び輝度−電流密度特性に応じて制御され、各発光部１４０の輝度が互いに実質的に等しくなるようになっている。図８に示す例では、各トランジスタＱに流れるパルス電流の振幅が振幅レベルＳＬから変動されて、各発光部１４０の輝度が互いに実質的に等しくなるようになっている。
【００８３】
図８に示す例では、各発光部１４０の輝度が互いに実質的に等しくなるように、各トランジスタＱに流れるパルス電流の振幅を制御している。他の例において、各発光部１４０の輝度が互いに実質的に等しくなるように、各トランジスタＱに流れるパルス電流のパルス幅を制御してもよい。パルス幅を制御しても、図１及び図２を用いて説明したように、第２パルス電流のパルス幅が第１パルス電流のパルス幅より広い限り、第２パルス電流による電圧降下を抑えることができる。
【００８４】
図９は、各発光部１４０に流れるパルス電流のパルス幅及び振幅を検知する方法の一例を説明するための図である。
【００８５】
発光部１４０の表面上にフォトダイオード４１０を配置する。パルス電流に応じて発光部１４０からパルス光が発せられると、フォトダイオード４１０は、このパルス光に応じた電流を流す。フォトダイオード４１０から流れた電流は、電流−電圧変換回路４２０によって電圧に変換される。電流−電圧変換回路４２０から出力された電圧は、フォトダイオード４１０に流れたパルス電流に応じたものとなる。したがって、フォトダイオード４１０に流れたパルス電流のパルス幅及び振幅は、電流−電圧変換回路４２０から出力された電圧から測定することができる。
【実施例】
【００８６】
図１０（ａ）は、実施例に係る方法にしたがって駆動させた発光装置１０のシミュレーションにおける電圧のタイミングチャートを示す図であり、図１０（ｂ）は、比較例に係る方法にしたがって駆動させた発光装置１０のシミュレーションにおける電圧のタイミングチャートを示す図である。
【００８７】
実施例において、発光装置１０は、図１及び図２を用いて説明した方法と同様にして駆動させている。陽極端子ＡＴの電圧は１８Ｖとしている。比較例は、各発光部１４０に流れるパルス電流が互いに同一のパルス幅及び互いに同一の振幅を有する点を除いて、実施例と同様である。
【００８８】
図１０（ａ）及び図１０（ｂ）において、信号Ａは、陰極配線ＣＬのうちの電流源Ｊに接続された端部の電位を示しており、信号Ｂは、陰極配線ＣＬのうちの反対側の端部の電位を示している。信号Ａ及び信号Ｂのタイミングチャートは、トランジスタＱ及び電流源Ｊの双方がオンされているタイミングにおいてドロップを形成している。信号Ｂのドロップは、電流源Ｊに印加された電圧ＶＦに相当する。信号Ａのドロップと信号Ｂのドロップの差は、陰極配線ＣＬの両端間の電圧降下に相当する。
【００８９】
比較例では、図１０（ｂ）の信号Ｂによって示されるように、各ドロップにおいて電流源Ｊに印加される電圧は、互いに等しく、各発光部１４０に流れるパルス電流の振幅は、互いに等しくなる。したがって、各ドロップにおける陰極配線ＣＬの両端間の電圧降下は、陰極端子ＣＴと発光部１４０の間における陰極配線ＣＬの内部抵抗が大きくなるほど大きくなっている。陽極端子ＡＴと陰極端子ＣＴの間の電圧降下の最大値は、約１３．２Ｖとなっている。
【００９０】
実施例では、図１０（ａ）の信号Ｂによって示されるように、各ドロップにおいて電流源Ｊに印加される電圧は、陰極端子ＣＴと発光部１４０の間における陰極配線ＣＬの内部抵抗が大きくなるほど小さくなっており、各発光部１４０に流れるパルス電流の振幅は、陰極端子ＣＴと発光部１４０の間における陰極配線ＣＬの内部抵抗が大きくなるほど小さくなる。したがって、陰極配線ＣＬの両端間の電圧降下を一定レベルに抑えることができる。各発光部１４０に流れるパルス電流の振幅が小さくても、各発光部１４０に流れるパルス電流のパルス幅は、パルス電流の振幅が小さくなるほど広くなっており、各発光部１４０の輝度が互いに実質的に等しくなるようになっている。陽極端子ＡＴと陰極端子ＣＴの間の電圧降下の最大値は、約８．６Ｖとなっている。つまり、実施例における駆動電圧は、比較例における駆動電圧よりも約４．５Ｖ低くすることができる。
【００９１】
以上、図面を参照して実施形態及び実施例について述べたが、これらは本発明の例示であり、上記以外の様々な構成を採用することもできる。
【符号の説明】
【００９２】
１０  発光装置
２０  制御装置
３０  発光モジュール
１００  基板
１４０  発光部
１４０ａ  第１発光部
１４０ｂ  第２発光部
１４０ｃ  第３発光部
１４０ｄ  第４発光部
１４０ｅ  第５発光部
２００  制御回路
４１０  フォトダイオード
ＡＬ  陽極配線
ＡＬ１  陽極配線
ＡＬ２  陽極配線
ＡＬ３  陽極配線
ＡＬ４  陽極配線
ＡＬ５  陽極配線
ＡＴ  陽極端子
ＡＴ１  陽極端子
ＡＴ２  陽極端子
ＡＴ３  陽極端子
ＡＴ４  陽極端子
ＡＴ５  陽極端子
ＣＬ  陰極配線
ＣＬ１  陰極配線
ＣＬ２  陰極配線
ＣＬ３  陰極配線
ＣＬ４  陰極配線
ＣＬ５  陰極配線
ＣＴ  陰極端子
ＣＴ１  陰極端子
ＣＴ２  陰極端子
ＣＴ３  陰極端子
ＣＴ４  陰極端子
ＣＴ５  陰極端子
ＣＴ６  陰極端子
ＣＴ７  陰極端子
ＣＴ８  陰極端子
Ｊ  電流源
Ｊ１  電流源
Ｊ２  電流源
Ｊ３  電流源
Ｊ４  電流源
Ｊ５  電流源
Ｌ１ａ  第１の第１極性配線
Ｌ１ｂ  第２の第１極性配線
Ｌ１ｃ  第３の第１極性配線
Ｌ２ａ  第１の第２極性配線
Ｌ２ａ  第２極性配線
Ｌ２ｂ  第２の第２極性配線
Ｌ２ｂ  第２極性配線
Ｑ  トランジスタ
Ｑ１  トランジスタ
Ｑ２  トランジスタ
Ｑ３  トランジスタ
Ｑ４  トランジスタ
Ｑ５  トランジスタ
Ｔ２ａ  第１の第２極性端子
Ｔ２ａ  第２極性端子
Ｔ２ｂ  第２の第２極性端子
Ｔ２ｂ  第２極性端子
Ｔ２ｃ  第３の第２極性端子
Ｔ２ｃ  第２極性端子
【図１】
2020009613.tif 000003
【図２】
2020009613.tif 000004
【図３】
2020009613.tif 000005
【図４】
2020009613.tif 000006
【図５】
2020009613.tif 000007
【図６】
2020009613.tif 000008
【図７】
2020009613.tif 000009
【図８】
2020009613.tif 000010
【図９】
2020009613.tif 000011
【図１０】
2020009613.tif 000012